(57)【要約】【課題】  既存額縁も含めて意匠性を向上できる窓の提供。【解決手段】  見切材７ａ，７ｂと被覆材１９を備え、見切材７ａ，７ｂは、既存額縁６ａ，６ｂの室内側端面に取付けたふかし枠８ａ，８ｂと、ふかし枠８ａ，８ｂの室内側に取付けた樹脂カバー材９ａ，９ｂとからなり、既存額縁６ａ，６ｂよりも内周側に突出しており、被覆材１９は、断熱性を有し、既存額縁６ａ，６ｂの内周側面を覆い、室内側の端部１９ｂが見切材７ａ，７ｂで隠れている。【選択図】      図１
2014091918.tif 000002
【特許請求の範囲】
【請求項１】
見切材と被覆材を備え、見切材は、既存額縁の室内側端面に取付けたふかし枠と、ふかし枠の室内側に取付けた樹脂カバー材とからなり、既存額縁よりも内周側に突出しており、被覆材は、断熱性を有し、既存額縁の内周側面を覆い、室内側の端部が見切材で隠れていることを特徴とする窓。
【請求項２】
見切材と被覆材と内窓を備え、見切材は、既存額縁の室内側端面に取付けたふかし枠と、ふかし枠の室内側に取付けた樹脂カバー材とからなり、既存額縁よりも内周側に突出しており、被覆材は、断熱性を有し、既存額縁の内周側面を覆い、室内側の端部が見切材で隠れており、内窓は、被覆材の内周側に取付けてあることを特徴とする窓。
【発明の詳細な説明】
【技術分野】
【０００１】
本発明は、断熱性を向上するために改修した窓に関する。
【背景技術】
【０００２】
断熱性を向上するため、既存の窓の室内側に内窓を設置することが従来より行われている。内窓は、既存の額縁の内周側に取付けられるが、既存の額縁の見込み寸法が足りない場合に、既存の額縁の室内側にふかし枠を取付け、額縁を室内側に延長することも知られている（例えば、非特許文献１参照。）。
従来、内窓は既存の額縁の内周面に直に取付けており、額縁は木製のため傷が付いていたり腐食したりしていることがあり、せっかく新しい内窓を取付けても古い額縁が露出することでリフォームの効果が損なわれていた。
【先行技術文献】
【特許文献】
【０００３】
【非特許文献１】三協立山アルミ株式会社発行のカタログ「リフォーム商品  総合カタログ」（カタログＮｏ．ＳＴＪ０７１９Ａ  Ｃ．１２．０４−１６０）、２０１２年４月、ｐ．６４８〜６５３
【発明の概要】
【発明が解決しようとする課題】
【０００４】
本発明は以上に述べた実情に鑑み、既存額縁も含めて意匠性を向上できる窓の提供を目的とする。
【課題を解決するための手段】
【０００５】
上記の課題を達成するために請求項１記載の発明による窓は、見切材と被覆材を備え、見切材は、既存額縁の室内側端面に取付けたふかし枠と、ふかし枠の室内側に取付けた樹脂カバー材とからなり、既存額縁よりも内周側に突出しており、被覆材は、断熱性を有し、既存額縁の内周側面を覆い、室内側の端部が見切材で隠れていることを特徴とする。
【０００６】
請求項２記載の発明による窓は、見切材と被覆材と内窓を備え、見切材は、既存額縁の室内側端面に取付けたふかし枠と、ふかし枠の室内側に取付けた樹脂カバー材とからなり、既存額縁よりも内周側に突出しており、被覆材は、断熱性を有し、既存額縁の内周側面を覆い、室内側の端部が見切材で隠れており、内窓は、被覆材の内周側に取付けてあることを特徴とする。
【発明の効果】
【０００７】
請求項１記載の発明による窓は、既存額縁の内周側面が被覆材で覆われているため既存額縁が露出せず、しかも被覆材の室内側の端部が既存額縁よりも内周側に突出した見切材で隠れていることで被覆材の小口が露出することもないから、窓まわりの意匠性を既存額縁も含めて全体的に向上できる。見切材は、ふかし枠の室内側に樹脂カバー材を取付けているため、結露の発生を防止できる。被覆材を樹脂製とすれば、樹脂カバー材と被覆材とで意匠や質感を統一させることもできる。
【０００８】
請求項２記載の発明による窓は、既存額縁の内周側面が被覆材で覆われているため既存額縁が露出せず、しかも被覆材の室内側の端部が既存額縁よりも内周側に突出した見切材で隠れていることで被覆材の小口が露出することもないから、窓まわりの意匠性を既存額縁も含めて全体的に向上できる。見切材は、ふかし枠の室内側に樹脂カバー材を取付けているため、結露の発生を防止できる。被覆材を樹脂製とすれば、樹脂カバー材と被覆材とで意匠や質感を統一させることもできる。内窓を被覆材の内周側に取付けることで、既存額縁に傷や段差等があっても内窓を容易に取付けできる。内窓を樹脂内窓とし、被覆材を樹脂製とすれば、窓まわりを全体的に樹脂で統一することができ、断熱効果や結露を防止する効果が高められる。
【図面の簡単な説明】
【０００９】
【図１】本発明の窓の第１実施形態を示す縦断面図である。
【図２】第１実施形態の窓の横断面図である。
【図３】第１実施形態の窓の室内側正面図である。
【図４】本発明の窓の第２実施形態を示す縦断面図である。
【図５】本発明の窓の第３実施形態を示す縦断面図である。
【図６】第３実施形態の窓の横断面図である。
【図７】第３実施形態の窓の室内側正面図である。
【図８】（ａ）は縦カバー材の下端部に取付けられる小口キャップの平面図、（ｂ）は同正面図である。
【図９】本発明の窓の第４実施形態を示す縦断面図である。
【図１０】本発明の窓の第５実施形態を示す縦断面図である。
【図１１】第５実施形態の窓の横断面図である。
【図１２】本発明の窓の第６実施形態を示す縦断面図である。
【図１３】第６実施形態の窓の横断面図である。
【図１４】本発明の窓の第７実施形態を示す縦断面図である。
【図１５】第７実施形態の窓の横断面図である。
【図１６】本発明の窓の第８実施形態を示す縦断面図である。
【図１７】第８実施形態の窓の横断面図である。
【図１８】本発明の窓の第９実施形態を示す縦断面図である。
【図１９】本発明の窓の第１０実施形態を示す縦断面図である。
【図２０】第１０実施形態の窓の横断面図である。
【図２１】本発明の窓の第１１実施形態を示す縦断面図である。
【図２２】第１１実施形態の窓の横断面図である。
【図２３】本発明の窓の第１２実施形態を示す縦断面図である。
【図２４】第１２実施形態の窓の横断面図である。
【図２５】（ａ）は小口キャップの室内側正面図、（ｂ）は同底面図である。
【図２６】第７実施形態の窓の変形例を示す縦断面図である。
【発明を実施するための形態】
【００１０】
以下、本発明の実施の形態を図面に基づいて説明する。図１〜３は、本発明の窓の第１実施形態を示している。本実施形態は、腰窓の場合の実施形態であって、室外側に既存の外窓１０が取付けられている窓開口部１１の室内側に内窓１を設けると共に、既存壁２の室内側に断熱パネル３を貼ることで、断熱性を向上させたものである。
内窓１は、上枠４ａと下枠４ｂと左右の竪枠４ｃ，４ｃとからなる枠４と、枠４内に引違い状に開閉自在に設けた外障子５ａと内障子５ｂとを備えるものであり、枠４と障子５ａ，５ｂの框は樹脂製である。
【００１１】
窓開口部１１には、木製の既存額縁６ａ，６ｂが四周設けてあり、四周の既存額縁６ａ，６ｂの室内側に見切材７ａ，７ｂをそれぞれ取付けて既存額縁６ａ，６ｂの内周側面を室内側に延長し、既存額縁６ａ，６ｂの内周側面と見切材７ａ，７ｂの内周側面とに跨って内窓１の枠４を取付けている。
各見切材７ａ，７ｂは、アルミの押出形材で形成したふかし枠８ａ，８ｂと、ふかし枠８ａ，８ｂの室内側に取付けた樹脂製のカバー材９ａ，９ｂとからなる。ふかし枠８ａ，８ｂは、既存額縁６ａ，６ｂの厚みと略同じ厚みを有し、室外側面を既存額縁６ａ，６ｂの室内側面に当接し、室内側からのネジ１２で既存額縁６ａ，６ｂに固定している。
カバー材９ａ，９ｂは、見込面カバー部１３と見付面カバー部１４とを有する断面Ｌ形に形成され、２箇所の爪部１５ａ，１５ｂをふかし枠８ａ，８ｂに引っ掛けるようにして、ふかし枠８ａ，８ｂに室内側から嵌合取付けしている。見込面カバー部１３は、ふかし枠８ａ，８ｂの外周をカバーすると共に、ふかし枠８ａ，８ｂの室外側面よりも室外側に突出している。見付面カバー部１４は、ふかし枠８ａ，８ｂの内周側面よりも内周側に突出しており、ふかし枠８ａ，８ｂの室内側と内窓１の枠４の室内側とを一体的に覆っている。見付面カバー部１４の内周縁１４ａは、内窓１の枠４の内周縁と一致している。見付面カバー部１４の内周縁部の室内側には、軟質樹脂よりなるシール部１６が一体成形され、このシール部１６が内窓１の枠４の内周縁部に当接している。
【００１２】
図３に示すように、縦カバー材９ｂの上下端部には樹脂製の小口キャップ１７が取付けてあり、小口キャップ１７により縦カバー材９ｂ及び縦ふかし枠８ｂの小口を隠している。小口キャップ１７は、図２５に示すように、縦カバー材９ｂ及び縦ふかし枠８ｂの小口に当接する板状の小口カバー部３７と、小口カバー部３７より突出する挿入部３８及びネジ保持部３９を有し、挿入部３８を縦カバー材９ｂの中空部に挿入し、ネジ保持部３９に室外側から挿入したネジ４０を縦カバー材９ｂの中空部の室外側の壁に螺入することで、縦カバー材９ｂの端部に固定している。小口キャップ１７は、板状の小口カバー部３７が露出するだけなので目立たないし、且つネジ４０を室外側から締め込んでいるため、ネジ４０の先端が中空部内に留まって室内側に露出しない。縦カバー材９ｂは、予め小口キャップ１７を取付けた上で縦ふかし枠８ｂに室内側から嵌合取付けされ、小口カバー部３７は平坦面であるため近くにエアコン等の他の構造物があったとしても、それと干渉することなく取付けることができる。その際にネジ４０による固定部が縦カバー材９ｂの嵌合取付用の爪部１５ａ，１５ｂを避けた位置にあるため、邪魔にならない。
横カバー材９ａは、縦カバー材９ｂの見付面カバー部１４のシール部１６の上下端部を切除することで、見付面カバー部１４の長手方向端部を縦カバー材９ｂの見付面カバー部１４に呑み込ませてあり、これにより横カバー材９ａの小口も露出せず、且つ横カバー材９ａの熱収縮を吸収できるようになっている。なお、シール部１６は、軟質樹脂製なので切除するための特別な工具が不要であり、カッターナイフ等で簡単に切除できる。
また、シール部１６を切除するときには、見付面カバー部１４と平行になるようにカッターの刃を当てて切除することで、一度の作業で切除することができる。
【００１３】
断熱パネル３は、真空断熱材を用いたものであり、より詳細には鋼板を弁当箱状に折り曲げた内部にウレタン樹脂を吹き付け、ウレタン樹脂に接するように真空断熱材を配置し、さらにその上からウレタン樹脂を吹き付けたものを断熱パネルとしている。断熱パネル３の厚みは、１４ｍｍである。断熱パネル３の表面には、壁紙やクロス等の化粧材を貼ることができる。なお断熱パネル３は、上記のものに限らず、グラスウールやウレタンパネル、ハニカムボードなど、断熱性を有するもの全てが含まれる。
断熱パネル３の小口３ａは、図１，２に示すように、カバー材９ａ，９ｂの見込面カバー部１３にほぼ当接するようにしている。断熱パネル３の小口３ａは、見込面カバー部１３にぴったり当接していてもよいし、１〜２ｍｍ程度の隙間があってもよい。
既存額縁６ａ，６ｂの既存壁２からの室内側への突出寸法は、窓によってまちまちであるが、一般に８〜２０ｍｍとなることが多い。見込面カバー部１３は、ふかし枠８ａ，８ｂの室外側面よりも所定の長さ（具体的には６．５ｍｍ）室外側に突出している。既存額縁６ａ，６ｂの突出寸法が断熱パネル３の厚みよりも大きい場合に、この突出部がないと既存額縁６ａ，６ｂが露出してしまい意匠性が劣るが、突出部があることで、既存額縁６ａ，６ｂの突出寸法が断熱パネル３の厚みよりも大きい場合でも断熱パネル３の小口３ａが露出せず、小口面からの熱の流れを抑制し、断熱性能を向上させることができ、断熱パネル３と見込面カバー部１３との間から既存額縁６ａ，６ｂが露出することもない。そして、既存額縁６ａ，６ｂの突出寸法が断熱パネル３の厚みよりも小さい場合でもふかし枠８ａ，８ｂによって断熱パネル３の小口３ａが露出せず、小口面からの熱の流れを抑制し、断熱性能を向上させることができる。
したがって、既存額縁６ａ，６ｂの突出寸法いかんにかかわらず断熱パネル３の小口３ａや既存額縁６ａ，６ｂが露出することがない。
断熱パネル３と見込面カバー部１３との間の隅角部には、シーリング材１８を打設している。
【００１４】
図１，２に示すように、四周の既存額縁６ａ，６ｂ及びふかし枠８ａ，８ｂの内周側面には、樹脂プレート１９が跨って設けてある。樹脂プレート１９の室外側の端部１９ａは、既存の外窓１０の枠のアングル２０に突き当てられ、アングル２０と樹脂プレート１９とが略面一状となっている。樹脂プレート１９の室内側の端部１９ｂは、見切材７ａ，７ｂ（ふかし枠８ａ，８ｂ又はカバー材９ａ，９ｂ）に当接して隠れている。樹脂プレート１９は、裏面にスジ状の折り取り溝２１が見込方向に間隔をおいて複数設けてあり、折り取り溝２１で適宜折り取ることで、既存額縁６ａ，６ｂとふかし枠８ａ，８ｂの見込寸法に合わせて、見込寸法を調節できるようになっている。なお、折り取り溝２１にカッターの刃を沿わせて切除することも可能であり、このようにすれば正確に直線切断でき、折り取る場合に比べて切断面を平滑にでき、外観意匠が向上する。また樹脂プレート１９は、既存額縁６ａ，６ｂ及びふかし枠８ａ，８ｂの内周側面に両面テープや接着剤で取付けてあり、容易に交換できるようにしてある。
【００１５】
次に、本窓の施工手順の一例を述べる。まず、既存額縁６ａ，６ｂの室内側にふかし枠８ａ，８ｂを取付ける。次に、既存額縁６ａ，６ｂ及びふかし枠８ａ，８ｂの内周に樹脂プレート１９を取付ける。次に、樹脂プレート１９の上から内窓１の枠４を取付ける。次に、予め小口キャップ１７を上下端部に取付けたカバー材９ａ，９ｂをふかし枠８ａ，８ｂに室内側から嵌合取付けする。その後、既存壁２の室内側に断熱パネル３を取付け、断熱パネル３の小口３ａをカバー材９ａ，９ｂの見込面カバー部１３に当接又は近接させる。
【００１６】
以上に述べたように本実施形態の窓は、樹脂製の内窓１を設けることで窓自体の断熱性が向上することに加え、既存壁２の室内側に断熱パネル３を設けることで、壁も含めて断熱性を向上することができる。カバー材９ａ，９ｂの見込面カバー部１３がふかし枠８ａ，８ｂの外周をカバーすると共に、ふかし枠８ａ，８ｂの室外側端部よりも室外側に突出しており、断熱パネル３の小口３ａが見込面カバー部１３に当接又は近接していることで、断熱パネル３の小口３ａと見込面カバー部１３との間に大きな隙間が発生することがなく、断熱パネル３の小口３ａからの熱の流れを抑制し、断熱性能を一層効率的に向上することができ、また断熱パネル３とカバー材９ａ，９ｂの間に大きな隙間があいたり、断熱パネル３とカバー材９ａ，９ｂの間から既存額縁６ａ，６ｂが露出したりすることがなく、意匠性が良い。
さらに本窓は、カバー材９ａ，９ｂの見付面カバー部１４がふかし枠８ａ，８ｂの室内側と内窓１の枠４の室内側を一体的に覆っているので、室内側から見るとカバー材９ａ，９ｂだけが見え、内窓１の枠４もふかし枠８ａ，８ｂも見えないので、内観意匠がすっきりしたものになる。
さらに、既存額縁６ａ，６ｂの内周側面が樹脂プレート１９で覆われているため既存額縁６ａ，６ｂが露出せず、しかも樹脂プレート１９の室内側の端部１９ｂが既存額縁６ａ，６ｂよりも内周側に突出した見切材７ａ，７ｂで隠れていることで樹脂プレート１９の小口が露出することもないから、窓まわりの意匠性を既存額縁６ａ，６ｂも含めて全体的に向上できる。樹脂プレート１９を設けることで、既存額縁６ａ，６ｂが木製であっても腐食を防止できる。見切材７ａ，７ｂは、ふかし枠８ａ，８ｂの室内側に樹脂製のカバー材９ａ，９ｂを取付けているため、結露の発生を防止でき、樹脂カバー材９ａ，９ｂと樹脂プレート１９とで意匠や質感を統一させることもできる。
また、内窓１を樹脂プレート１９の内周側に取付けることで、既存額縁６ａ，６ｂに傷や段差等があっても内窓１を容易に取付けできる。内窓１を樹脂内窓とすることで、窓まわりを全体的に樹脂で統一することができ、断熱効果や結露を防止する効果が高められる。さらには、見切材７ａ，７ｂと内窓１と樹脂プレート１９とで色を統一することもでき、これにより窓まわりの意匠性が一層高められる。
本窓は、既存壁２及び既存額縁６ａ，６ｂをそのまま利用するため、施工が容易である。
【００１７】
図４は、本発明の窓の第２実施形態を示している（横断面図は、図２を参照）。本実施形態も腰窓の実施形態であって、窓開口部１１の内周に設けられた四周の既存額縁６ａ，６ｂのうち、下側の既存額縁６ａのみが室内側に大きく突出しており、上部及び左右の三方の既存額縁６ａ，６ｂの室内側に見切材７ａ，７ｂ（ふかし枠８ａ，８ｂ及びカバー材９ａ，９ｂ）を取付けている。見切材７ａ，７ｂは、第１実施形態のものと同じものを使用している。
樹脂プレート１９は、上部及び左右の三方の既存額縁６ａ，６ｂと見切材７ａ，７ｂの内周側面に跨って取付けてあり、内窓１は上枠４ａ及び左右の竪枠４ｃ，４ｃが樹脂プレート１９の上から既存額縁６ａ，６ｂ及びふかし枠８ａ，８ｂの内周に跨って取付けられ、下枠４ｂは既存額縁６ａの内周側面に直に取付けている。
【００１８】
図５〜７は、本発明の窓の第３実施形態を示している。本実施形態は、テラス窓（掃出し窓）の実施形態であって、室外側に既存の外窓１０が取付けられている窓開口部１１の室内側に内窓１を設け、既存壁２の室内側に断熱パネル３を貼り、既設床材２２の上に断熱パネル２３を重ねて設け、さらにその断熱パネル２３の上に新設床材２４を設けて、断熱性を向上させたものである。
【００１９】
窓開口部１１の上部と左右の三方には木製の既存額縁６ａ，６ｂが設けられ、既存額縁６ａ，６ｂの室内側に第１実施形態と同様に見切材７ａ，７ｂ（ふかし枠８ａ，８ｂ及びカバー材９ａ，９ｂ）を取付け、既存額縁６ａ，６ｂとふかし枠８ａ，８ｂの内周に跨って内窓１の枠４を取付けている。カバー材９ａ，９ｂの見込面カバー部１３がふかし枠８ａ，８ｂの外周をカバーし、且つ断熱パネル３の小口３ａを見込面カバー部１３に当接又は近接している点、及びカバー材９ａ，９ｂの見付面カバー部１４がふかし枠８ａ，８ｂの室内側と内窓１の枠４の室内側を一体的に覆っている点は、第１実施形態と同様である。また、既存額縁６ａ，６ｂとふかし枠８ａ，８ｂの内周側面には、第１実施形態と同様に樹脂プレート１９を設けている。
【００２０】
既設床材２２の上に重ねて設けられる断熱パネル２３は、既存壁２の室内側に設けられる断熱パネル３と同様に真空断熱材を使用したものを用いている。内窓１の下枠４ｂと既設床材２２の間には、図５に示すように、高さ調整材２５が設けてあり、これにより内窓１の下枠４ｂの上端２６を新設床材２４の上面と略同じ高さにしている。高さ調整材２５の厚みは、断熱パネル２３の厚みと略同じになっている。既設の外窓１０の枠のアングル２０と高さ調整材２５の間の既設床材２２の上面には、樹脂プレート１９が設けてある。壁の断熱パネル３の下端部と新設床材２４の室外側端部との間のコーナー部には、図６，７に示すように、巾木３６を取付けている。
【００２１】
内窓１の枠４は、壁の断熱パネル３よりも室内側に出っ張っているため、新設床材２４は図６に示すように、内窓１の下枠４ｂ、竪枠４ｃ及び見切材７ｂを逃がすように、室外側に切り欠き２７を設けている。新設床材２４の室外側端部、内窓１の下枠４ｂと対向する部分には、樹脂製のアングル２８を取付けている。
【００２２】
縦カバー材９ｂの下端部には、樹脂製の小口キャップ２９が取付けてある。小口キャップ２９は、図８に示すように、縦カバー材９ｂの小口に当接する小口当接部３０と、小口当接部３０より上方に突出し縦カバー材９ｂの中空部に挿入される挿入部３１を有すると共に、縦カバー材９ｂより張り出す板状の隙間塞ぎ部３２を室内側に有している。隙間塞ぎ部３２は、縦カバー材９ｂの見付面カバー部１４より室内側に１５ｍｍ張り出し、見込面カバー部１３より外周側に５ｍｍ張り出している。小口当接部３０は、隙間塞ぎ部３２の上面よりも若干低い位置に設けてある。
小口キャップ２９は、挿入部３１を縦カバー材９ｂの中空部に挿入して縦カバー材９ｂの下端部に取付けられ、縦カバー材９ｂは予め小口キャップ２９を取付けた上でふかし枠８ｂに嵌合取付けされ、取付けると小口キャップ２９が新設床材２４上に載置される。小口キャップ２９は、縦カバー材９ｂの室内側と外周側に張り出す板状の隙間塞ぎ部３２を有しているので、図６に示すように、隙間塞ぎ部３２により新設床材２４の切り欠き２７と縦カバー材９ｂとの隙間が覆われる。また、アングル２８の長手方向の端部が隙間塞ぎ部３２に呑み込まれており、アングル２８の小口が露出しない。小口キャップ２９は、縦カバー材９ｂにネジ止めされていないので、縦カバー材９ｂの加工が不要であり、縦カバー材９ｂが熱で収縮しても不具合が生じない。
【００２３】
次に、本窓の施工手順の一例を述べる。まず、既存額縁６ａ，６ｂの室内側にふかし枠８ａ，８ｂを取付ける。次に、既存額縁６ａ，６ｂ及びふかし枠８ａ，８ｂの内周に樹脂プレート１９を取付け、既設床材２２上に樹脂プレート１９と高さ調整材２５を取付ける。次に、樹脂プレート１９及び高さ調整在２５の上から内窓１の枠４を取付ける。次に、既設床材２２上に断熱パネル２３及び新設床材２４を重ねて設ける。次に、予め小口キャップ１７，２９を上下端部に取付けたカバー材９ａ，９ｂをふかし枠８ａ，８ｂに室内側から嵌合取付けする。その後、既存壁２の室内側に断熱パネル３を取付け、断熱パネル３の小口３ａをカバー材９ａ，９ｂの見込面カバー部１３に当接又は近接させる。
【００２４】
以上に述べたように本実施形態の窓は、内窓１を設けることで窓自体の断熱性が向上することに加え、既存壁２の室内側に断熱パネル３を設け、さらに既設床材２２の上に断熱パネル２３を重ねて設けたことで、壁と床の断熱性もあわせて向上させられ、部屋全体の断熱性を向上させることができる。内窓１の下枠４ｂの上端２６が新設床材２４の上面と略同じ高さであるため、内窓１の下枠４ｂが床面より低く、段差ができることがないので、内窓１の下枠４ｂが通行の妨げとなりにくく、バリアフリーに配慮したリフォームが可能である。また、内窓１の下枠４ｂが床面から飛び出さないことで、カバー材９ａ，９ｂによりふかし枠８ａ，８ｂと内窓１の枠４を覆ったこととあわせて、内観意匠がすっきりする。新設床材２４の室外側端部にアングル２８を設けることで、新設床材２４の小口がアングル２８で覆われているので、意匠性が良く、新設床材２４の端部を損傷しない。さらに縦カバー材９ｂの下端部に小口キャップ２９が取付けてあり、小口キャップ２９が新設床材２４上に載置してあることで、縦カバー材９ｂと新設床材２４との間に隙間があかないので、意匠性が良い。また、縦カバー材９ｂの小口が新設床材２４を傷付けることも防止できる。
小口キャップ２９は、縦カバー材９ｂの室内側及び外周側に張り出す隙間塞ぎ部３２を有しているので、新設床材２４に切り欠き２７を荒く大きめに設けたとしても、切り欠き２７と縦カバー材９ｂの隙間を隙間塞ぎ部３２で隠すことができるので、新設床材２２の窓枠近傍の加工を単純化できる。
【００２５】
図９は、本発明の窓の第４実施形態を示しており、第３実施形態において既設床材２２と新設床材２４の間の断熱パネル２３を省略したものに相当する。このように断熱パネル２３を省略した場合でも、新設床材２４を既設床材２２の上に重ねて設けることで、床の断熱性を向上することができる。また、新設床材２４として断熱材を一体に備えるものを用いることで、床の断熱性を一層向上することができる。縦カバー材９ｂの下端部には、第３実施形態と同様の小口キャップ２９が取付けられ、小口キャップ２９を新設床材２４の上に載置している。
既設床材２２上には、樹脂プレート１９が既存の外窓１０の枠のアングル２０の室内側の縁から新設床材２４の室外側端部のアングル２８に当接する位置まで設けてあり、内窓１の下枠４ｂを高さ調整材２５を介することなく、樹脂プレート１９を挟んで既設床材２２上に取付けている。内窓１の下枠４ｂの上端２６は、新設床材２４の上面と略同じ高さとなっている。
【００２６】
このように、既設・新設床材２２，２４間に断熱パネル２３を設ける場合は高さ調整材２５を用い、断熱パネル２３を設けない場合には高さ調整材２５を省くことで、何れの場合も内窓１の下枠４ｂの上端２６を新設床材２４の上面と略同じ高さとすることができる。
【００２７】
図１０，１１は、本発明の窓の第５実施形態を示している。この例では、既設床材２２の上に断熱パネル２３も新設床材２４も設けず、既設床材２２の上に内窓１の下枠４ｂを直に取付けている。本実施形態によれば、床の断熱性は変わらないが、窓自体の断熱性及び壁の断熱性を向上させられる。
【００２８】
図１２，１３は、本発明の窓の第６実施形態を示している。本実施形態は、腰窓の実施形態であって、既存額縁６ａ，６ｂに内窓１を設置するのに十分な見込寸法があって、本来ならふかし枠８ａ，８ｂを設けなくても内窓１が取付けられる場合の実施形態である。四周の既存額縁６ａ，６ｂの室内側には、見切材７ａ，７ｂ（ふかし枠８ａ，８ｂ及びカバー材９ａ，９ｂ）がそれぞれ取付けられ、内窓１の枠４は室内側の縁を既存額縁６ａ，６ｂの室内側の縁とそろえて、既存額縁６ａ，６ｂの内周に設けてある。見切材７ａ，７ｂは、第１実施形態のものと比較して、既存額縁６ａ，６ｂから室内側への突出寸法を小さくしてある。
【００２９】
見切材７ａ，７ｂは、アルミ形材よりなるふかし枠８ａ，８ｂと、樹脂形材よりなるカバー材９ａ，９ｂとからなり、ふかし枠８ａ，８ｂは既存額縁６ａ，６ｂよりも内周側に突出させて既存額縁６ａ，６ｂの室内側面にネジ１２で固定され、カバー材９ａ，９ｂはふかし枠８ａ，８ｂに室内側から嵌合取付けしている。
カバー材９ａ，９ｂは、見付面カバー部１４と、外周側の見込面カバー部１３と、内周側の見込面カバー部３３とを有する断面コ字形となっている。外周側の見込面カバー部１３は、ふかし枠８ａ，８ｂの室外側面よりも室外側に突出しており、既存壁２の室内側に設けた断熱パネル３の小口３ａがこの見込面カバー部１３にほぼ当接するようにしている。内周側の見込面カバー部３３は、内窓１の枠４の内周縁と略同面に位置しており、その先端が内窓１の枠４の内周縁に当接している。
【００３０】
既存額縁６ａ，６ｂの内周側面には、樹脂プレート１９が設けてある。樹脂プレート１９は、既存の外窓１０の枠のアングル２０から見切材７ａ，７ｂに当接する位置まで設けてあり、室内側の端部１９ｂが見切材７ａ，７ｂで隠れている。
【００３１】
本実施形態の窓も、第１実施形態と同様に、壁も含めて断熱性を向上することができる、断熱パネル３の小口３ａをカバー材９ａ，９ｂの見込面カバー部１３に当接することで、断熱パネル３とカバー材９ａ，９ｂ間に隙間が開かず、且つ断熱パネル３とカバー材９ａ，９ｂの間から既存額縁６ａ，６ｂが露出しない、カバー材９ａ，９ｂによりふかし枠８ａ，８ｂの室内側と内窓１の枠４の室内側を一体的に覆うことで、内観意匠がすっきりするといった効果がある。
また本発明の窓は、見込寸法の大きい見切材７ａ，７ｂ（第１実施形態）と、見込寸法の小さい見切材７ａ，７ｂ（第６実施形態）とを使い分けることで、内窓１を既存額縁６ａ，６ｂより室内側に持ち出して設ける場合と、内窓１を既存額縁６ａ，６ｂ内だけに納めて設ける場合の何れにも対応することができる。
【００３２】
図１４，１５は、本発明の窓の第７実施形態を示している。本実施形態は、第６実施形態と同じ腰窓の窓開口部で、内窓１を設けない場合の実施形態である。
四周の既存額縁６ａ，６ｂの室内側には見切材７ａ，７ｂ（ふかし枠８ａ，８ｂ及びカバー材９ａ，９ｂ）が取付けてあり、見切材７ａ，７ｂは第６実施形態と同一の見込寸法が小さいものを用いており、内周側面が既存額縁６ａ，６ｂの内周側面と略一致するように、詳細には既存額縁６ａ，６ｂの内周側面に取付けられる樹脂プレート１９の厚み分だけ内周側に突出するように、第６実施形態の場合よりも外周側にずらして取付けている。
四周の既存額縁６ａ，６ｂの内周側面には樹脂プレート１９が設けてあり、樹脂プレート１９はカバー材９ａ，９ｂの内周側の見込面カバー部３３と面一状となっている。
【００３３】
以上に述べたように、内窓１を設けない場合でも既存額縁６ａ，６ｂの室内側に見切材７ａ，７ｂを取付けることで、断熱パネル３の小口３ａや既存額縁６ａ，６ｂを隠すことができ、窓まわりの壁の断熱性を向上すると共に、意匠性を向上することができる。
同一の見切材７ａ，７ｂを使用し、内窓１を設ける場合は見付面カバー部１４の内周縁（内周側の見込面カバー部３３）が内窓１の枠４の内周縁と略一致し、内窓１を設けない場合は見付面カバー部１４の内周縁が既存額縁６ａ，６ｂの内周面に設けた樹脂プレート１９の内周縁と略一致するように、ふかし枠８ａ，８ｂの取付位置を調節することで、何れの場合も内観意匠をすっきりさせられる。
【００３４】
図２６は、第７実施形態の窓の変形例であって、既存額縁６ａ，６ｂの内周面に樹脂プレート１９を設けない場合を示している。見切材７ａ，７ｂは、カバー材９ａ，９ｂの内周縁（内周側の見込面カバー部３３）が既存額縁６ａ，６ｂの内周縁と一致するように、ふかし枠８ａ，８ｂの取付位置を調整している。このように、既存額縁６ａ，６ｂ内周の樹脂プレート１９は、省略することもできる。
【００３５】
図１６，１７は、本発明の窓の第８実施形態を示している。本実施形態は、第６実施形態と同一の見込寸法の小さい見切材７ａ，７ｂを使用するテラス窓の実施形態である。
上枠部及び竪枠部の取り合いは、第６実施形態と同様である。既設床材２２の上には、第３実施形態と同様に断熱パネル２３を重ねて設け、さらにその上に重ねて新設床材２４を設けている。内窓１の下枠４ｂは、既設床材２２上に配置した高さ調整材２５上に取付け、下枠４ｂの上端２６を新設床材２４の上面と略同じ高さにしている。本実施形態では、内窓１の枠４が壁の断熱パネル３よりも室内側に突出しないため、新設床材２４の窓枠周辺の切り欠き２７は必要ないか小さい切り欠きでよく、縦カバー材９ｂの下端部に取付ける小口キャップ２９は、第３実施形態のような隙間塞ぎ部３２が必ずしも必要ではなく、単に小口をカバーするものであればよい。
図９に示すように、既設床材２２と新設床材２４の間の断熱パネル２３を省略することもでき、この場合は高さ調整材２５を介さずに内窓１の下枠４ｂを既設床材２２に取付ける。
【００３６】
図１８は、本発明の窓の第９実施形態を示している。この例では、既設床材２２の上に断熱パネル２３も新設床材２４も設けず、既設床材２２の上に内窓１の下枠４ｂを直に取付けている。本実施形態によれば、床の断熱性は変わらないが、窓自体の断熱性及び壁の断熱性を向上させられる。
【００３７】
図１９，２０は、本発明の窓の第１０実施形態を示している。本実施形態は、テラス窓で内窓１を設けない場合の実施形態である。既存額縁６ａ，６ｂの室内側には、第７実施形態と同様に見込寸法の小さい見切材７ａ，７ｂが、内周側面が既存額縁６ａ，６ｂの内周側面と略一致するように取付けられ、既存壁２の室内側に設けた断熱パネル３と既存額縁６ａ，６ｂの間をカバーしている。また、既存額縁６ａ，６ｂの内周側面には樹脂プレート１９が設けられ、樹脂プレート１９の室内側端部１９ｂは見切材７ａ，７ｂに当接して隠れている。
【００３８】
図２１，２２は、本発明の第１１実施形態を示している。本実施形態は、テラス窓で内窓１を設けない場合で、且つ壁と床に断熱パネルを施す場合を示している。既存額縁６ａ，６ｂの室内側には、第１０実施形態と同様に見込寸法の小さい見切材７ａ，７ｂが、内周側面が既存額縁６ａ，６ｂの内周側面と略一致するように取付けられ、既存壁２の室内側に設けた断熱パネル３と既存額縁６ａ，６ｂの間をカバーしている。また、既存額縁６ａ，６ｂの内周側面には樹脂プレート１９が設けられ、樹脂プレート１９の室内側端部１９ｂは見切材７ａ，７ｂに当接して隠れている。
既設床材２２の上には断熱パネル２３が重ねて設けられ、さらに断熱パネル２３の上に重ねて新設床材２４を設けている。既存の外窓１０の枠のアングル２０から断熱パネル２３の付近までの既設床材２２上にも樹脂プレート１９が設けられ、既設床材２２が露出しないようにしている。既設床材２２と新設床材２４間の段差部には、室外側面が傾斜面となった床見切材３４が取付けてあり、これにより段差を緩和していると共に、段差による躓きを防止し、ゴミの掃き出しを容易にしている。また、床見切材３４で断熱パネル２３の小口を覆っていることから、小口面からの熱損失を防止でき、小口面からの湿気等の侵入を防ぎ、断熱パネル２３の劣化を防止することができる。
【００３９】
図２３，２４は、本発明の窓の第１２実施形態を示している。本実施形態は、窓開口部１１の内周面と室内側面に跨ってクロス３５が貼ってあるクロス納まりの場合の実施形態である。この場合には、見込寸法の小さい見切材７ａ，７ｂを窓開口部１１の内周側面から樹脂プレート１９の厚み分だけ内周側に突出するように既存壁２の室内側に取付け、既存の外窓１０の枠のアングル２０から見切材７ａ，７ｂまでの範囲に樹脂プレート１９を取付けている。カバー材９ａ，９ｂは、外周側の見込面カバー部１３のふかし枠８ａ，８ｂの室外側面から室外側に突出する部分が邪魔になるため、この突出部分を切除する。突出部分を切除しやすいように、見込面カバー部１３に折り取り線を設けておき、突出部分を簡単に折り取りできるようにしてもよい。また、折り取り線に沿ってカッター等で簡単に切除することもできる。
【００４０】
上述のように、見切材７ａ，７ｂを用いることにより、既存額縁６ａ，６ｂのないクロス納まりの場合であっても、既存壁２の室内側に断熱パネル３を追加するリフォームが行える。図示の例では内窓１を設けていないが、内窓１を設けることも可能であり、その場合には図１２，１３に示すように、見切材７ａ，７ｂを内窓１の枠４の分だけ内周側にずらして取付ければよい。
【００４１】
以上に述べたように、本発明は様々な窓に対して、壁、床、額縁も含めてリフォームが行え、これにより断熱性と意匠性を向上できるものである。本発明の窓は、内窓１を設ける場合と、内窓１を設けない場合の何れにも対応でき、またテラス窓の場合については、既設床材２２上に断熱パネル２３及び新設床材２４を設ける場合と、新設床材２４のみを設ける場合、両方とも設けない場合の何れにも対応でき、施工主の求めに応じて断熱性のグレードを適宜選択することができる。内窓１を設ける場合、内窓１を含めて本発明の窓が構成されることは言うまでもない。
【００４２】
本発明は以上に述べた実施形態に限定されない。外窓１０及び内窓１の窓種は任意であり、引き違い窓に限らず、開き窓やすべり出し窓等であってもよい。内窓１は、樹脂サッシが好ましいが、アルミサッシや木製サッシであってもよい。見切材７ａ，７ｂ（ふかし枠８ａ，８ｂ及びカバー材９ａ，９ｂ）の断面形状や材質は、適宜変更することができる。額縁には、柱や敷居、鴨居など、窓開口部の内周部に設けられる全ての部材が含まれる。既存額縁の内周側を被覆する被覆材は、樹脂プレートの他、木質シートや断熱性を有するフィルム材等でもよい。小口キャップ１７のカバー材９ｂへの取付けは、ネジ止めではなく、嵌め込みにより固定して、施工性を向上させるようにしてもよい。小口キャップ１７の外れを防止するため、カバー材９ｂの中空部の室外側の壁面に孔を形成し、小口キャップ１７に爪を形成して、孔に爪を係合させて固定する構造にしてもよく、孔と爪が外側から見えないので、意匠性も良好である。また、現場でカバー材９ｂを切断する場合もあるので、カバー材９ｂの孔を長手方向にわたって複数形成し、切断しても爪と係合する孔が存在するようにしておけばよい。
【符号の説明】
【００４３】
１  内窓
２  既存壁
３  断熱パネル（壁）
３ａ  断熱パネルの小口
４  内窓の枠
４ｂ  内窓の下枠
５ａ  外障子
５ｂ  内障子
６ａ，６ｂ  既存額縁
７ａ，７ｂ  見切材
８ａ，８ｂ  ふかし枠
９ａ，９ｂ  カバー材（樹脂カバー材）
１０  外窓
１１  窓開口部
１３  見込面カバー部
１４  見付面カバー部
１９  樹脂プレート（被覆材）
２２  既設床材
２３  断熱パネル（床）
２４  新設床材
２５  高さ調整材
２７  新設床材の切り欠き
２８  アングル
２９  小口キャップ
３２  隙間塞ぎ部
【図１】
2014091918.tif 000003
【図２】
2014091918.tif 000004
【図３】
2014091918.tif 000005
【図４】
2014091918.tif 000006
【図５】
2014091918.tif 000007
【図６】
2014091918.tif 000008
【図７】
2014091918.tif 000009
【図８】
2014091918.tif 000010
【図９】
2014091918.tif 000011
【図１０】
2014091918.tif 000012
【図１１】
2014091918.tif 000013
【図１２】
2014091918.tif 000014
【図１３】
2014091918.tif 000015
【図１４】
2014091918.tif 000016
【図１５】
2014091918.tif 000017
【図１６】
2014091918.tif 000018
【図１７】
2014091918.tif 000019
【図１８】
2014091918.tif 000020
【図１９】
2014091918.tif 000021
【図２０】
2014091918.tif 000022
【図２１】
2014091918.tif 000023
【図２２】
2014091918.tif 000024
【図２３】
2014091918.tif 000025
【図２４】
2014091918.tif 000026
【図２５】
2014091918.tif 000027
【図２６】
2014091918.tif 000028